(57)【要約】【課題】外来者が病室の近傍に接近すると、外来者が来訪したことをナースコール親機の表示部に通知するとともに、病室内に外来者がいる時のみ聴取や通話を制限するナースコールシステムを提供する。【解決手段】外来者により携行され被介護者のＩＤが蓄積された発信装置からの無線信号を受信装置で検出した時に、廊下灯は来客通知信号を生成してナースコール親機に送出するとともにナースコール子機への通話路制限するための通話制限信号を生成して制御機に送出するための廊下灯ＣＰＵを備え、ナースコール親機は廊下灯ＣＰＵにて生成される来客信号を検出して表示装置及び／又は親機スピーカを制御して外来者による病室への来訪を報知するための親機ＣＰＵを備え、制御機は廊下灯ＣＰＵからの通話制限信号を検出しナースコール子機からナースコール親機への受話信号を制限するための制御機ＣＰＵを備えている。【選択図】図１
2008183353.tif 000002
【特許請求の範囲】
【請求項１】
病室内の病床毎にそれぞれ設置され被介護者が看護者を呼び出して通話を成立させるための複数のナースコール子機（１、１、・・・）と、前記被介護者の病室の出入り口に設置され、前記ナースコール子機からの呼び出しがあることを表示し、前記看護者に知らせるための廊下灯（２、２、・・・）と、ナースセンター内に設置され前記ナースコール子機から前記廊下灯を介して伝送されてくる呼び出しを報知し、前記看護者が応答して前記被介護者との間で通話を成立させるためのナースコール親機（３）と、前記廊下灯及び前記ナースコール親機をそれぞれ制御するための制御機（５）と、前記被介護者を見舞う外来者により携行され前記被介護者のＩＤが蓄積された発信装置（６）と、前記外来者が見舞う前記被介護者の病室の出入り口に設置され、前記発信機から発信される無線信号を受信して前記外来者が近づいたことを検出するための受信装置（７）とを備え、
前記廊下灯は、前記受信装置にて前記外来者により見舞われる被介護者のＩＤ情報が検出されたとき、前記外来者による病室への来訪を通知するための来客通知信号を生成して前記ナースコール親機に送出するとともに、前記外来者により来訪される病室内のナースコール子機への通話路制限するための通話制限信号を生成して前記制御機に送出するための廊下灯ＣＰＵ（２０）を備え、
前記ナースコール親機は、前記廊下灯の廊下灯ＣＰＵにて生成される来客通知信号を検出して、表示装置（３３）及び／又は親機スピーカ（３４）を制御して前記外来者による病室への来訪を報知するための親機ＣＰＵ（３０）を備え、
前記制御機は、前記廊下灯の廊下灯ＣＰＵからの通話制限信号を検出し、前記ナースコール子機から前記ナースコール親機への受話信号を制限するための制御機ＣＰＵ（５０）を備えたことを特徴とするナースコールシステム。
【請求項２】
病室内の病床毎にそれぞれ設置され被介護者が看護者を呼び出して通話を成立させるための複数のナースコール子機（１、１、・・・）と、前記被介護者の病室の出入り口に設置され、前記ナースコール子機からの呼び出しがあることを表示し、前記看護者に知らせるための廊下灯（２、２、・・・）と、ナースセンター内に設置され前記ナースコール子機から前記廊下灯を介して伝送されてくる呼び出しを報知し、前記看護者が応答して前記被介護者との間で通話を成立させるためのナースコール親機（３）と、前記廊下灯及び前記ナースコール親機をそれぞれ制御するための制御機（５）と、前記被介護者を見舞う外来者により携行され前記被介護者のＩＤが蓄積された発信装置（６）と、前記外来者が見舞う前記被介護者の病室の出入り口に設置され、前記発信機から発信される無線信号を受信して前記外来者が近づいたことを検出するための受信装置（７）とを備え、
前記ナースコール子機は、前記被介護者により成立される通話が制限されることを前記看護者に通知するための通話制限通知ボタン（１５）を備え、
前記廊下灯は、前記受信装置にて前記外来者により見舞われる被介護者のＩＤ情報が検出されたとき、前記外来者による病室への来訪を通知するための来客通知信号を生成して前記ナースコール親機に送出し、前記被介護者のＩＤ情報が検出された後に前記ナースコール子機の通話制限通知ボタンの操作を検出すると、前記外来者により来訪される病室内のナースコール子機への通話路制限するための通話制限信号を生成して前記制御機に送出するための廊下灯ＣＰＵ（２０）を備え、
前記ナースコール親機は、前記廊下灯の廊下灯ＣＰＵにて生成される来客通知信号を検出して、表示装置（３３）及び／又は親機スピーカ（３４）を制御して前記外来者による病室への来訪を報知するための親機ＣＰＵ（３０）を備え、
前記制御機は、前記廊下灯の廊下灯ＣＰＵからの通話制限信号を検出し、前記ナースコール子機から前記ナースコール親機への受話信号を制限するための制御機ＣＰＵ（５０）を備えたことを特徴とするナースコールシステム。
【請求項３】
前記廊下灯の廊下灯ＣＰＵは、前記通話制限信号を生成して前記制御機に送出した後に前記受信装置にて前記外来者により見舞われる被介護者のＩＤ情報が検出されると、前記外来者による病室内からの退室を前記看護者に通知するための来客終了信号を生成して前記ナースコール親機及び前記制御機にそれぞれ送出するとともに、前記外来者により来訪される病室内のナースコール子機への前記受話信号の制限を解除するための通話制限解除信号を生成して前記制御機に送出し、
前記制御機の制御機ＣＰＵは、前記廊下灯の廊下灯ＣＰＵからの前記通話制限解除信号を検出して前記受話信号の制限を解除することを特徴とする請求項１又は請求項２記載のナースコールシステム。
【請求項４】
前記ナースコール子機は、前記被介護者による通話の制限を復旧させるための通話制限復旧ボタン（１６）を備え、
前記廊下灯の廊下灯ＣＰＵは、前記通話制限信号を生成して前記制御機に送出した後に前記ナースコール子機の通話制限復旧ボタンの操作を検出すると、前記外来者により来訪される病室内のナースコール子機への前記受話信号の制限を解除するための通話制限解除信号を生成して前記制御機に送出し、
前記制御機の制御機ＣＰＵは、前記廊下灯の廊下灯ＣＰＵにて生成される前記通話制限解除信号を検出して前記受話信号の制限を解除することを特徴とする請求項１又は請求項２記載のナースコールシステム。
【請求項５】
前記ナースコール子機は、前記被介護者が前記看護者を呼び出すための呼出ボタン（１０）を備え、
前記廊下灯の廊下灯ＣＰＵは、前記ナースコール子機の呼出ボタンの操作を検出し呼出信号を生成して前記制御機に送出し、
前記制御機の制御機ＣＰＵは、前記受話信号の制限を解除し、前記受話信号とともに前記ナースコール親機から前記ナースコール子機への送話信号を送信可能として双方向通話を行なうことを特徴とする請求項１乃至請求項４のうち何れか１項記載のナースコールシステム。
【請求項６】
前記制御機の制御機ＣＰＵは、前記受話信号の制限時に、前記ナースコール親機から前記ナースコール子機への送話信号を送信可能とすることを特徴とする請求項１乃至請求項５のうち何れか１項記載のナースコールシステム。
【発明の詳細な説明】
【技術分野】
【０００１】
本発明はナースコールシステムに係り、特に、被介護者（患者）の病室に見舞客などの外来者が来室した場合にナースコール親機の画面等にて表示通知するとともに、その患者のナースコール子機との通話を制限することを可能としたナースコールシステムに関する。
【背景技術】
【０００２】
従来から、この種のナースコールシステムとして、病室内の（病床の）患者がスイッチを操作することでナースコール親機からの聴取操作を禁止することにより、患者のプライバシーの保護が図れるナースコールシステムが開示されている（例えば、特許文献１参照）。
【０００３】
特許文献１に記載のナースコールシステムでは、病室内の患者が廊下灯に設置されている自病床に該当する聴取禁止スイッチを操作することにより子機マイクを使用した聴取を禁止して患者のプライバシーを守るものである。
【０００４】
【特許文献１】特開２００６−１２９２２８号公報（段落番号００１９、００３４）
【発明の開示】
【発明が解決しようとする課題】
【０００５】
しかしながら、特許文献１に記載されているような従来例のナースコールシステムにおいては、患者が操作するスイッチの所定の操作のみにより聴取を禁止することとなるため、スイッチの誤操作や必要以上に聴取を制限することにより効率よい看護業務の遂行の支障となるなどの問題があった。
【０００６】
また、見舞客と患者のプライバシーの保護に対してナースコール親機からナースコール子機に対しての通話操作ができるという点で不十分であった。
【０００７】
本発明は、上述の難点を解消するためになされたもので、見舞客が病室の近傍に接近すると、見舞客が来訪したことをナースコール親機の表示部に通知するとともに、病室内に見舞客がいる時のみ聴取や通話を制限するナースコールシステムを提供することを目的とする。
【課題を解決するための手段】
【０００８】
この目的を達成するために本発明によるナースコールシステムの第１の形態は、病室内の病床毎にそれぞれ設置され被介護者が看護者を呼び出して通話を成立させるための複数のナースコール子機と、被介護者の病室の出入り口に設置され、ナースコール子機からの呼び出しがあることを表示し、看護者に知らせるための廊下灯と、ナースセンター内に設置されナースコール子機から廊下灯を介して伝送されてくる呼び出しを報知し、看護者が応答して被介護者との間で通話を成立させるためのナースコール親機と、廊下灯及びナースコール親機をそれぞれ制御するための制御機と、被介護者を見舞う外来者により携行され被介護者のＩＤが蓄積された発信装置と、外来者が見舞う被介護者の病室の出入り口に設置され、発信機から発信される無線信号を受信して外来者が近づいたことを検出するための受信装置とを備え、廊下灯は、受信装置にて外来者により見舞われる被介護者のＩＤ情報が検出されたとき、外来者による病室への来訪を通知するための来客通知信号を生成してナースコール親機に送出するとともに、外来者により来訪される病室内のナースコール子機への通話路制限するための通話制限信号を生成して制御機に送出するための廊下灯ＣＰＵを備え、ナースコール親機は、廊下灯の廊下灯ＣＰＵにて生成される来客通知信号を検出して、表示装置及び／又は親機スピーカを制御して外来者による病室への来訪を報知するための親機ＣＰＵを備え、制御機は、廊下灯の廊下灯ＣＰＵからの通話制限信号を検出し、ナースコール子機からナースコール親機への受話信号を制限するための制御機ＣＰＵを備えたことを特徴とする。
【０００９】
また本発明によるナースコールシステムの第２の形態は、病室内の病床毎にそれぞれ設置され被介護者が看護者を呼び出して通話を成立させるための複数のナースコール子機と、被介護者の病室の出入り口に設置され、ナースコール子機からの呼び出しがあることを表示し、看護者に知らせるための廊下灯と、ナースセンター内に設置されナースコール子機から廊下灯を介して伝送されてくる呼び出しを報知し、看護者が応答して被介護者との間で通話を成立させるためのナースコール親機と、廊下灯及びナースコール親機をそれぞれ制御するための制御機と、被介護者を見舞う外来者により携行され被介護者のＩＤが蓄積された発信装置と、外来者が見舞う被介護者の病室の出入り口に設置され、発信機から発信される無線信号を受信して外来者が近づいたことを検出するための受信装置とを備え、ナースコール子機は、被介護者により成立される通話が制限されることを看護者に通知するための通話制限通知ボタンを備え、廊下灯は、受信装置にて外来者により見舞われる被介護者のＩＤ情報が検出されたとき、外来者による病室への来訪を通知するための来客通知信号を生成してナースコール親機に送出し、被介護者のＩＤ情報が検出された後にナースコール子機の通話制限通知ボタンの操作を検出すると、外来者により来訪される病室内のナースコール子機への通話路制限するための通話制限信号を生成して制御機に送出するための廊下灯ＣＰＵを備え、ナースコール親機は、廊下灯の廊下灯ＣＰＵにて生成される来客通知信号を検出して、表示装置及び／又は親機スピーカを制御して外来者による病室への来訪を報知するための親機ＣＰＵを備え、制御機は、廊下灯の廊下灯ＣＰＵからの通話制限信号を検出し、ナースコール子機からナースコール親機への受話信号を制限するための制御機ＣＰＵを備えたことを特徴とする。
【００１０】
さらに本発明によるナースコールシステムの第３の形態は、第１の形態又は第２の形態において、廊下灯の廊下灯ＣＰＵは、通話制限信号を生成して制御機に送出した後に受信装置にて外来者により見舞われる被介護者のＩＤ情報が検出されると、外来者による病室内からの退室を看護者に通知するための来客終了信号を生成してナースコール親機及び制御機にそれぞれ送出するとともに、外来者により来訪される病室内のナースコール子機への受話信号の制限を解除するための通話制限解除信号を生成して制御機に送出し、制御機の制御機ＣＰＵは、廊下灯の廊下灯ＣＰＵからの通話制限解除信号を検出して受話信号の制限を解除することを特徴とする。
【００１１】
また本発明によるナースコールシステムの第４の形態は、第１の形態又は第２の形態において、ナースコール子機は、被介護者による通話の制限を復旧させるための通話制限復旧ボタンを備え、廊下灯の廊下灯ＣＰＵは、通話制限信号を生成して制御機に送出した後にナースコール子機の通話制限復旧ボタンの操作を検出すると、外来者により来訪される病室内のナースコール子機への受話信号の制限を解除するための通話制限解除信号を生成して制御機に送出し、制御機の制御機ＣＰＵは、廊下灯の廊下灯ＣＰＵにて生成される通話制限解除信号を検出して受話信号の制限を解除することを特徴とする。
【００１２】
さらに本発明によるナースコールシステムの第５の形態は、第１の形態から第４の形態のいずれかの形態において、ナースコール子機は、被介護者が看護者を呼び出すための呼出ボタンを備え、廊下灯の廊下灯ＣＰＵは、ナースコール子機の呼出ボタンの操作を検出し呼出信号を生成して制御機に送出し、制御機の制御機ＣＰＵは、受話信号の制限を解除し、受話信号とともにナースコール親機からナースコール子機への送話信号を送信可能として双方向通話を行なうことを特徴とする。
【００１３】
また本発明の第６の形態は、第１の形態から第５の形態のいずれかの形態において、制御機の制御機ＣＰＵは、受話信号の制限時に、ナースコール親機からナースコール子機への送話信号を送信可能とすることを特徴とする。
【発明の効果】
【００１４】
本発明のナースコールシステムの第１の形態では、見舞客などの外来者が病室に入る場合に自動的にナースコール親機とナースコール子機との間で通話制限を行うことができるので、病室内の患者や見舞客のプライバシーを確実に保護することができる。
【００１５】
また本発明のナースコールシステムの第２の形態では、ナースコール子機において通話制限の操作を行うことができるので、従来のように廊下灯まで行かなくても患者にとって簡便な操作でプライバシーを保護することができる。
【００１６】
さらに本発明のナースコールシステムの第３の形態では、外来者が退室した場合には自動的に通話制限が解除されるので患者、看護者双方にとって効率よい看護体制を構築することができる。
【００１７】
また本発明のナースコールシステムの第４の形態では、患者が通話の制限を必要としない場合は来客中でも通話ができるので、効率よい看護業務の遂行を行うことができる。
【００１８】
さらに本発明のナースコールシステムの第５の形態では、通話制限時であってもナースコール子機の呼出ボタンを操作することによってナースコール親機とナースコール子機との間で双方向の通話が可能となるので、患者側の必要に応じてナースセンターとの意志の疎通を図ることができる。
【００１９】
また本発明のナースコールシステムの第６の形態では、通話制限時であってもナースコール親機からナースコール子機へ片方向の通話が可能となるので、ナースセンター側の必要に応じて患者へ連絡事項を伝えることができる。
【発明を実施するための最良の形態】
【００２０】
以下、本発明によるナースコールシステムを適用した好ましい実施の形態について、図面を参照して説明する。
【００２１】
図１は、本発明のナースコールシステムを示すブロック図であり、例えばＡ号室、Ｂ号室、・・・のように複数の病室にそれぞれ設置されているナースコール子機１と、廊下灯２と、ナースセンター内に設置されているナースコール親機３と、看護師等が携帯する携帯端末４と、通話、データの送受信を制御する制御機５と、見舞客等が持つ発信装置６と、廊下灯２の近傍に設置される受信装置７から構成されている。
【００２２】
ナースコール子機１は、看護者を呼ぶための呼出ボタン１０、緊急時に呼び出しを行うためのスタッフコールボタン１１、看護者と通話をするための子機マイク１２および子機スピーカ１３、見舞客が来室したことを看護者に通知する見舞通知ボタン１４、通話の制限を通知する通話制限通知ボタン１５、通話の制限を復旧する通話制限復旧ボタン１６、呼出の制限を解除するための呼出制限復旧ボタン１７から構成されている。
【００２３】
また、廊下灯２は、呼出ボタンが操作されたことを検出するための通常呼出検出回路２１、スタッフコールボタンが操作されたことを検出するための緊急呼出検出回路２２、制御機との間のデータ通信を行う廊下灯データ送受信回路２３、ナースコール子機のマイク／スピーカで通話を行うための廊下灯通話回路２４、廊下灯通話回路を制御する廊下灯通話制御回路２５、見舞通知ボタンが操作されたことを検出するための見舞通知検出回路２６、通話制限通知ボタンが操作されたことを検出するための通話制限検出回路２７、通話制限復旧ボタンが操作されたことを検出するための通話制限復旧検出回路２８、呼出制限復旧ボタンが操作されたことを検出するための呼出制限復旧検出回路２９、各回路を制御する廊下灯ＣＰＵ２０から構成されている。
【００２４】
さらに、ナースコール親機３は、患者情報、看護情報等を表示する表示装置３３、患者からの呼出により呼出音を報音するための親機呼出音発生回路３２、患者と通話をするための親機スピーカ３４および親機レシーバー／親機マイク３５と、終話を通知するためのフックスイッチ３６、通話先を切り替えるための通話切替回路３７と、通話を制御する親機通話制御回路３８、制御機５とのデータ送受信を行う親機データ送受信回路３１、各回路を制御する親機ＣＰＵ３０とから構成されている。
【００２５】
そして、制御機５は、ナースコール親機３および廊下灯２との通話を制御する制御機通話制御回路５２と、ナースコール親機３および廊下灯２とのデータ送受信を行う制御機データ送受信回路５１、各回路を制御する制御機ＣＰＵ５０とから構成されている。
【００２６】
ここで、ナースコール子機１と廊下灯２は伝送線により接続されているが、具体的にはナースコール子機１の呼出ボタン１０と廊下灯２の通常呼出検出回路２１が伝送線Ｌ１ａにより、ナースコール子機１のスタッフコールボタン１１と廊下灯２の緊急呼出検出回路２２が伝送線Ｌ１ｂにより、ナースコール子機１の子機マイク１２及び子機スピーカ１３と廊下灯２の廊下灯通話回路２４がそれぞれ伝送線Ｌ１ｃ及びＬ１ｄにより接続され、またナースコール子機１の見舞通知ボタン１４と廊下灯２の見舞通知検出回路２６が伝送線Ｌ１ｅにより、ナースコール子機１の通話制限通知ボタン１５と廊下灯２の通話制限検出回路２７が伝送線Ｌ１ｆにより、ナースコール子機１の通話制限復旧ボタン１６と廊下灯２の通話制限復旧検出回路２８が伝送線Ｌ１ｇにより、ナースコール子機１の呼出制限復旧ボタン１７と廊下灯２の呼出制限復旧検出回路２９が伝送線Ｌ１ｈによりそれぞれ接続されている。これらの伝送線Ｌ１ａからＬ１ｈを総称して伝送線Ｌ１とする。
【００２７】
また、廊下灯２と制御機５は、廊下灯２の廊下灯データ送受信回路２３と制御機５の制御機データ送受信回路５１とが伝送線Ｌ２ａにより、廊下灯２の廊下灯通話制御回路２５と制御機５の制御機通話制御回路５２とが伝送線Ｌ２ｂにより接続されており、この伝送線Ｌ２ａ及びＬ２ｂを総称して伝送線Ｌ２とする。
【００２８】
さらに、制御機５とナースコール親機３は、制御機５の制御機データ送受信回路５１とナースコール親機３の親機データ送受信回路３１とが伝送線Ｌ３ａにより、制御機５の制御機通話制御回路５２とナースコール親機３の親機通話制御回路３８とが伝送線Ｌ３ｂにより接続されている。そしてこの伝送線Ｌ３ａ及びＬ３ｂを総称して伝送線Ｌ３とする。
【００２９】
また、廊下灯２の廊下灯データ送受信回路２３と受信装置７とが伝送線Ｌ４により接続されており、受信装置７と発信装置６、あるいは制御機５の制御機データ送受信回路５１と携帯端末４はそれぞれ無線により送受信できるようになっている。
【００３０】
ところで、通常のナースコール親機からの通話操作においては、親機ＣＰＵ３０よりナースコール子機１との通話を行うための信号が親機データ送受信回路３１、制御機データ送受信回路５１を介し、制御機ＣＰＵ３０へ送られる、制御機ＣＰＵ３０は制御機データ送受信回路５１、廊下灯データ送受信回路２３を介し、廊下灯ＣＰＵ２０に対して通話の開始を通知する信号を送信するとともに、制御機通話制御回路５２を制御し、廊下灯とナースコール親機との間の通話路を接続することにより通話が成立する。
【００３１】
なお、発信装置６には見舞いに行く患者の患者ＩＤ情報が設定されている。
【００３２】
このような設定があらかじめなされている状態において、以下、本発明のナースコールシステムの動作を説明する。
【００３３】
まず第１の実施の形態として、見舞客が発信装置６を携帯し病室に近づくと、発信装置６の接近を病室の入口付近に設置された廊下灯２の近傍に設けられている受信装置７が検知し、廊下灯データ送受信回路２３を介して廊下灯ＣＰＵ２０に対し発信装置が接近したことを知らせる接近信号を送信する。
【００３４】
廊下灯ＣＰＵ２０は接近信号を受信し、患者ＩＤ情報を照合して自室の患者宛の来客と判断すると、来客を通知する来客通知信号を廊下灯データ送受信回路２３、制御機データ送受信回路５１を介して制御機ＣＰＵ５０へ、また廊下灯データ送受信回路２３、制御機データ送受信回路５１、親機データ送受信回路３１を介して親機ＣＰＵ３０へ送信する。
【００３５】
親機ＣＰＵ３０は来客通知信号を受信すると、表示装置３３を制御し、表示装置の画面または／および表示灯により見舞客が来室したことを表示し、また、親機呼出音発生回路３２を制御し、親機スピーカ３４を鳴動させることによっても見舞客が来室したことを看護者に通知する。
【００３６】
また、廊下灯ＣＰＵ２０は来客通知信号の送信に続けて、通話の制限を通知する通話制限信号を廊下灯データ送受信回路２３、制御機データ送受信回路５１を介して制御機ＣＰＵ５０へ送信する。
【００３７】
制御機ＣＰＵ５０は通話制限信号を受信すると、制御機通話制御回路５２を制御し、廊下灯２とナースコール親機３との間の通話路を接続しないようにする。
【００３８】
この状態で、ナースコール親機から患者に対して通話操作を行うと、親機ＣＰＵ３０よりナースコール子機との通話を行うための信号が親機データ送受信回路３１、制御機データ送受信回路５１を介し、制御機ＣＰＵ５０へ送信される。しかしながら制御機ＣＰＵ５０は既に制御機通話制御回路５２を制御して廊下灯２とナースコール親機３との間の通話路を接続しないようにしているためナースコール子機からナースコール親機への受話信号が制限され、通話が成立しない。
【００３９】
次に、第２の実施の形態の動作説明を行なう。第２の実施の形態は患者がナースコール子機１の通話制限通知ボタン１５を操作した場合の例である。なお、親機ＣＰＵ３０が来客通知信号を受信する部分までは第１の実施の形態と同様であるので説明を省略する。
【００４０】
第２の実施の形態において廊下灯ＣＰＵ２０は、来客通知信号の送信後にナースコール子機１に備えられた通話制限通知ボタン１５が操作されたことを検知すると、廊下灯ＣＰＵ２０が廊下灯データ送受信回路２３、制御機データ送受信回路５１を介し、通話の制限を通知する信号を制御機ＣＰＵ５０へ送信する。
【００４１】
制御機ＣＰＵ５０は通話制限信号を受信すると、制御機通話制御回路５２を制御し、廊下灯２とナースコール親機３との間の通話路を接続しないようにする。この状態で、ナースコール親機から患者に対して通話操作を行うと、親機ＣＰＵ３０よりナースコール子機との通話を行うための信号が親機データ送受信回路３１、制御機データ送受信回路５１を介し、制御機ＣＰＵ５０へ送られる。しかしながら制御機ＣＰＵ５０は既に制御機通話制御回路５２を制御して廊下灯２とナースコール親機３との間の通話路を接続しないようにしているためナースコール子機からナースコール親機への受話信号が制限され、通話が成立しない。
【００４２】
また、図１においては受信装置７は廊下灯データ送受信回路２３に接続されているが、制御機データ送受信回路５１に接続し、接近通知信号を制御機ＣＰＵ５０から送信するようにしてもよい。
【００４３】
さらに、見舞客が病室を来訪することにより廊下灯ＣＰＵ２０が通話制限信号を生成して廊下灯データ送受信回路２３、制御機データ送受信回路５１を介して制御機ＣＰＵ５０へ送信した後に再び患者ＩＤ情報が受信装置７により検出されると、廊下灯ＣＰＵ２０は、見舞客が病室から退出したと判断して来客終了信号を生成し、廊下灯データ送受信回路２３、制御機データ送受信回路５１を介して制御機ＣＰＵ５０に、また廊下灯データ送受信回路２３、制御機データ送受信回路５１、親機データ送受信回路３１を介して親機ＣＰＵ３０に送信するとともに廊下灯ＣＰＵ２０は病室内のナースコール子機１への通話信号の制限を解除するための通話制限解除信号を生成して廊下灯データ送受信回路２３、制御機データ送受信回路５１を介して制御機ＣＰＵ５０へ送信することもできる。このようにして制御機ＣＰＵ５０は通話制限解除信号を検出してナースコール子機からナースコール親機への受話信号の制限を解除する。
【００４４】
また、ナースコール子機１には患者自ら通話の制限を解除することができる通話制限復旧ボタン１６が備えられているので、廊下灯ＣＰＵ２０が通話制限信号を生成して廊下灯データ送受信回路２３、制御機データ送受信回路５１を介して制御機ＣＰＵ５０へ送信した後にナースコール子機１の通話制限復旧ボタン１６が操作されたことを検出すると、廊下灯ＣＰＵ２０は、通話制限解除信号を生成して廊下灯データ送受信回路２３、制御機データ送受信回路５１を介して制御機ＣＰＵ５０に送信し、制御機ＣＰＵ５０は通話制限解除信号を検出してナースコール子機からナースコール親機への受話信号の制限を解除するようにしてもよい。
【００４５】
さらに、ナースコール子機１には患者が看護者を呼び出すための呼出ボタン１０が備えられているので、廊下灯ＣＰＵ２０はナースコール子機１の呼出ボタン１０が操作されたことを検出して呼出信号を生成して廊下灯データ送受信回路２３、制御機データ送受信回路５１を介して制御機ＣＰＵ５０へ送信し、呼出信号を検出した制御機ＣＰＵ５０は通話信号の制限を解除し、ナースコール子機１とナースコール親機３との間の受話信号及び送話信号をともに送信可能とした双方向通話をできるようにしてもよい。
【００４６】
また、制御機ＣＰＵ５０は、通話信号の制限がある場合でも強制的にナースコール親機３からナースコール子機１への送話信号を送信可能にすることもできる。このようにすると例えば緊急事態が発生した場合などでも速やかにナースコール親機３からナースコール子機１との間の片方向の通話が可能となり、ナースセンターからの連絡事項を患者に伝えることができる。
【００４７】
なお、通話制限の対象に看護者が携帯する携帯端末４を含めてもよい。携帯端末４は端末呼出音発生回路４０、端末データ送受信回路４４、端末通話回路４３、端末マイク４１、端末スピーカ４２などから構成され、例えば端末データ送受信回路４４と制御機５の制御機データ送受信回路５１との間で無線により通話制限信号を送受信できるようになっている。
【図面の簡単な説明】
【００４８】
【図１】本発明のナースコールシステムの実施の形態を表すブロック図である。
【符号の説明】
【００４９】
１            ナースコール子機
２            廊下灯
３            ナースコール親機
５            制御機
６            発信装置
７            受信装置
１０          呼出ボタン
１５          通話制限通知ボタン
１６          通話制限復旧ボタン
２０          廊下灯ＣＰＵ
３０          親機ＣＰＵ
３３          表示装置
３４          親機スピーカ
【図１】
2008183353.tif 000003